(57)【要約】  第１の無線デバイス（１０）から第２の無線デバイス（１００）への無線送信によるデータの送信中に、第３の無線デバイス（２０）が、第１の無線デバイス（１０）から第２の無線デバイス（１００）への無線送信によって使用されている無線リソース上で干渉信号を送信するように制御される。データの送信は、干渉信号の送信に対して調整され、無線送信上での干渉信号の影響がモニタリングされる。【選択図】図１０
2021508187.tif 000002
【特許請求の範囲】
【請求項１】
無線送信を管理する方法であって、
第１の無線デバイス（１０；１００）から第２の無線デバイス（１０；１００）への無線送信によるデータの送信中に、前記第１の無線デバイス（１０；１００）から前記第２の無線デバイス（１０；１００）への前記無線送信によって使用されている無線リソース上で干渉信号を送信するように第３の無線デバイス（２０；１００）を制御することと、
前記干渉信号の送信に対して前記データの送信を調整することと、
前記無線送信上での前記干渉信号の影響をモニタリングすることとを含む方法。
【請求項２】
前記無線送信上での前記干渉信号の前記影響の前記モニタリングが、前記第３の無線デバイス（２０；１００）が前記干渉信号を送信する前記無線リソース上での前記無線送信のうちの少なくとも１つの受信品質のモニタリングを含む、
請求項１に記載の方法。
【請求項３】
前記干渉信号の送信に対して前記データの送信を前記調整することが、
前記第３の無線デバイス（２０；１００）が前記干渉信号を送信する前記無線リソース上で無線送信をスケジュールする際に、前記無線送信によって伝達されるデータの再送信をさらにスケジュールすることを含む、
請求項１または２に記載の方法。
【請求項４】
前記第３の無線デバイス（２０；１００）が前記干渉信号を送信しない他の無線リソース上で前記再送信をスケジュールすること
を含む、請求項３に記載の方法。
【請求項５】
前記無線送信上での前記干渉信号の前記影響の前記モニタリングが、前記再送信の受信品質のモニタリングをさらに含む、
請求項３または４に記載の方法。
【請求項６】
前記干渉信号の送信に対して前記データの送信を前記調整することが、
前記第３の無線デバイス（２０；１００）が前記干渉信号を送信する前記無線リソース上で実行される前記無線送信のうちの少なくとも１つを、前記第１の無線デバイス（１０；１００）から前記第２の無線デバイス（１０；１００）へ前記データを伝達するために使用されないダミー送信として設定することを含む、
請求項１から５のいずれか一項に記載の方法。
【請求項７】
前記干渉信号の送信に対して前記データの送信を前記調整することが、
前記ダミー送信の特徴についての情報を前記第２の無線デバイス（１０；１００）に提供することを含む、
請求項６に記載の方法。
【請求項８】
前記無線送信上での前記干渉信号の前記影響の前記モニタリングが、前記ダミー送信の受信品質のモニタリングを含む、
請求項６または７に記載の方法。
【請求項９】
前記干渉信号の送信に対して前記データの送信を前記調整することが、前記第１の無線デバイス（１０；１００）、前記第２の無線デバイス（１０；１００）、および前記第３の無線デバイス（２０；１００）のうちの少なくとも１つに提供される管理情報に基づく、
請求項１から８のいずれか一項に記載の方法。
【請求項１０】
前記無線送信上での前記干渉信号の前記影響の前記モニタリングが、前記第２の無線デバイス（１０；１００）によって提供される少なくとも１つのレポートに基づく、
請求項１から９のいずれか一項に記載の方法。
【請求項１１】
前記無線送信上での前記干渉信号の前記影響の前記モニタリングに基づいて、前記第１の無線デバイス（１０；１００）から前記第２の無線デバイス（１０；１００）への前記無線送信を最適化すること
を含む、請求項１から１０のいずれか一項に記載の方法。
【請求項１２】
前記第３の無線デバイス（２０；１００）の前記制御が、前記干渉信号の送信電力、前記干渉信号の送信周波数、前記干渉信号の送信タイミング、および／または前記干渉信号の送信バンド幅を設定することを含む、
請求項１から１１のいずれか一項に記載の方法。
【請求項１３】
前記第３の無線デバイス（２０；１００）の前記制御が、前記第３の無線デバイス（２０；１００）の位置を制御すること、および／または前記干渉信号の送信方向を制御することを含む、
請求項１から１２のいずれか一項に記載の方法。
【請求項１４】
無線送信を管理するための装置（１１００；１２００）であって、
第１の無線デバイス（１０；１００）から第２の無線デバイス（１０；１００）への無線送信によるデータの送信中に、前記第１の無線デバイス（１０；１００）から前記第２の無線デバイス（１０；１００）への前記無線送信によって使用されている無線リソース上で干渉信号を送信するように第３の無線デバイス（２０；１００）を制御することと、
前記干渉信号の送信に対して前記データの送信を調整することと、
前記無線送信上での前記干渉信号の影響をモニタリングすることとを行うように設定されている装置。
【請求項１５】
前記第３の無線デバイス（２０；１００）が前記干渉信号を送信する前記無線リソース上での前記無線送信のうちの少なくとも１つの受信品質のモニタリングによって、前記無線送信上での前記干渉信号の前記影響をモニタリングするように設定されている、
請求項１４に記載の装置（１１００；１２００）。
【請求項１６】
前記第３の無線デバイス（２０；１００）が前記干渉信号を送信する前記無線リソース上で無線送信をスケジュールする際に、前記無線送信によって伝達されるデータの再送信をさらにスケジュールすることによって、前記干渉信号の送信に対して前記データの送信を調整することを行うように設定されている、
請求項１４または１５に記載の装置（１１００；１２００）。
【請求項１７】
前記第３の無線デバイス（２０；１００）が前記干渉信号を送信しない他の無線リソース上で前記再送信をスケジュールするように設定されている、
請求項１６に記載の装置（１１００；１２００）。
【請求項１８】
前記再送信の受信品質のモニタリングによって、前記無線送信上での前記干渉信号の前記影響をモニタリングするように設定されている、
請求項１６または１７に記載の装置（１１００；１２００）。
【請求項１９】
前記第３の無線デバイス（２０；１００）が前記干渉信号を送信する前記無線リソース上で実行される前記無線送信のうちの少なくとも１つを、前記第１の無線デバイス（１０；１００）から前記第２の無線デバイス（１０；１００）へ前記データを伝達するために使用されないダミー送信として設定することによって、前記干渉信号の送信に対して前記データの送信を調整することを行うように設定されている、
請求項１４から１８のいずれか一項に記載の装置（１１００；１２００）。
【請求項２０】
前記ダミー送信の特徴についての情報を前記第２の無線デバイス（１０；１００）に提供することによって、前記干渉信号の送信に対して前記データの送信を調整するようにさらに設定されている、
請求項１９に記載の装置（１１００；１２００）。
【請求項２１】
前記ダミー送信の受信品質のモニタリングによって、前記無線送信上での前記干渉信号の前記影響をモニタリングするように設定されている、
請求項１９または２０に記載の装置（１１００；１２００）。
【請求項２２】
前記第１の無線デバイス（１０；１００）、前記第２の無線デバイス（１０；１００）、および前記第３の無線デバイス（２０；１００）のうちの少なくとも１つに提供される管理情報に基づいて、前記干渉信号の送信に対して前記データの送信を調整するように設定されている、
請求項１４から２１のいずれか一項に記載の装置（１１００；１２００）。
【請求項２３】
前記第２の無線デバイス（１０；１００）によって提供される少なくとも１つのレポートに基づいて、前記無線送信上での前記干渉信号の前記影響をモニタリングするように設定されている、
請求項１４から２２のいずれか一項に記載の装置（１１００；１２００）。
【請求項２４】
前記無線送信上での前記干渉信号の前記影響の前記モニタリングに基づいて、前記第１の無線デバイス（１０；１００）から前記第２の無線デバイス（１０；１００）への前記無線送信を最適化するように設定されている、
請求項１４から２３のいずれか一項に記載の装置（１１００；１２００）。
【請求項２５】
前記干渉信号の送信電力、前記干渉信号の送信周波数、前記干渉信号の送信タイミング、および／または前記干渉信号の送信バンド幅を設定することによって、前記第３の無線デバイス（２０；１００）を制御するように設定されている、
請求項１４から２４のいずれか一項に記載の装置（１１００；１２００）。
【請求項２６】
前記第３の無線デバイス（２０；１００）の位置を制御することによって、および／または前記干渉信号の送信方向を制御することによって、前記第３の無線デバイス（２０；１００）を制御するように設定されている、
請求項１４から２５のいずれか一項に記載の装置（１１００；１２００）。
【請求項２７】
前記第１の無線デバイス（１０；１００）によって実装される、
請求項１４から２６のいずれか一項に記載の装置（１１００；１２００）。
【請求項２８】
前記第２の無線デバイス（１０；１００）によって実装される、
請求項１４から２６のいずれか一項に記載の装置（１１００；１２００）。
【請求項２９】
前記第３の無線デバイス（２０；１００）によって実装される、
請求項１４から２６のいずれか一項に記載の装置（１１００；１２００）。
【請求項３０】
前記第１の無線デバイス（１０；１００）、前記第２の無線デバイス（１０；１００）、および前記第３の無線デバイス（２０；１００）とは別個の制御デバイス（２００）によって実装される、
請求項１４から２６のいずれか一項に記載の装置（１１００；１２００）。
【請求項３１】
請求項１から１３のいずれか一項に記載の方法を実行するように設定される、
請求項１４から３０のいずれか一項に記載の装置（１１００；１２００）。
【請求項３２】
少なくとも１つのプロセッサ（１２５０）と、前記少なくとも１つのプロセッサ（１２５０）によって実行可能な命令を含むメモリ（１２６０）とを含み、前記命令によって、装置（１１００；１２００）が、請求項１から１３のいずれか一項に記載の方法のステップを実行するように作動する、
請求項１４から３１のいずれか一項に記載の装置（１１００；１２００）。
【請求項３３】
第１の無線デバイス（１０；１００）、第２の無線デバイス（１０；１００）、および第３の無線デバイス（２０；１００）
を含むシステムであって、
前記第１の無線デバイス（１０；１００）および前記第２の無線デバイス（１０；１００）が、前記第１の無線デバイス（１０；１００）から前記第２の無線デバイス（１０；１００）へ無線送信によってデータを送信するように設定されており、
前記第３の無線デバイス（２０；１００）が、前記第１の無線デバイス（１０；１００）から前記第２の無線デバイス（１０；１００）への前記無線送信によって使用されている無線リソース上で干渉信号を送信するように設定されており、
前記第１の無線デバイス（１０；１００）、前記第２の無線デバイス（１０；１００）、および前記第３の無線デバイス（２０；１００）のうちの少なくとも１つが、前記干渉信号の送信に対して前記データの送信を調整するように設定されており、
前記第１の無線デバイス（１０；１００）、前記第２の無線デバイス（１０；１００）、および前記第３の無線デバイス（２０；１００）のうちの少なくとも１つが、前記無線送信上での前記干渉信号の影響をモニタリングするように設定されている、システム。
【請求項３４】
無線送信の管理のための装置（１１００；１２００）の少なくとも１つのプロセッサ（１２５０）によって実行されるプログラムコードを含むコンピュータプログラムであって、前記プログラムコードの実行が、請求項１から１３のいずれか一項に記載の方法を前記装置に実行させる、コンピュータプログラム。
【請求項３５】
無線送信の管理のための装置（１１００；１２００）の少なくとも１つのプロセッサ（１２５０）によって実行されるプログラムコードを含むコンピュータプログラム製品であって、前記プログラムコードの実行が、請求項１から１３のいずれか一項に記載の方法を前記装置に実行させる、コンピュータプログラム製品。
【発明の詳細な説明】
【技術分野】
【０００１】
本発明は、無線送信を管理するための方法、ならびに対応する装置、コンピュータプログラム、およびシステムに関連する。
【背景技術】
【０００２】
無線通信ネットワークにおいては、信頼性およびレイテンシが、重要な側面である。たとえば、送信者から受信者への送信の低いレイテンシおよび高い信頼性の要件の両方に影響を受ける重要なデータが存在する場合がある。ここでは、信頼性は、データパケットが誤っていること、失われていること、またはあまりにも遅く到着することのいずれかに起因して、それらのデータパケットが指定のレイテンシ限界内に受信者へ成功裏に送達されない確率の点で査定されることが可能である。信頼性の保証を指定することによって、したがって、データが指定のレイテンシ限界内に成功裏に送達されることが確実にされることが可能である。例として、３ＧＰＰ（３ｒｄ  Ｇｅｎｅｒａｔｉｏｎ  Ｐａｒｔｎｅｒｓｈｉｐ  Ｐｒｏｊｅｃｔ）によって現在開発されている５Ｇ（５ｔｈ  Ｇｅｎｅｒａｔｉｏｎ）無線通信ネットワークは、ＵＲＬＬＣ（ｕｌｔｒａ−ｒｅｌｉａｂｌｅ  ａｎｄ  ｌｏｗ−ｌａｔｅｎｃｙ  ｃｏｍｍｕｎｉｃａｔｉｏｎｓ）をサポートするであろう。たとえばＩＴＵ推奨ＩＴＵ−Ｒ  Ｍ．２０８３−０（０９／２０１５）において言及されているＵＲＬＬＣの使用事例は、工業製造または生産プロセスの無線制御、遠隔医療手術、スマートグリッドにおける配電自動化、交通安全を含む。さらなる例は、スマート電力グリッドのリアルタイムオペレーション、または他のリアルタイムオペレーションの遠隔制御である。「Ｍｉｎｉｍｕｍ  ｒｅｑｕｉｒｅｍｅｎｔｓ  ｒｅｌａｔｅｄ  ｔｏ  ｔｅｃｈｎｉｃａｌ  ｐｅｒｆｏｒｍａｎｃｅ  ｆｏｒ  ＩＭＴ−２０２０  ｒａｄｉｏ  ｉｎｔｅｒｆａｃｅ（ｓ）」（２０１７年２月２２日）と題されているＩＴＵ文書ＤＲＡＦＴ  ＩＴＵ−Ｒ  Ｍ．［ＩＭＴ−２０２０．ＴＥＣＨ．ＰＥＲＦ  ＲＥＱ］によれば、１ｍｓのレイテンシ限界内で３２バイトのレイヤ２  ＰＤＵ（ｐｒｏｔｏｃｏｌ  ｄａｔａ  ｕｎｉｔ）を送信するための１−１０−５の成功確率が、ＵＲＬＬＣ使用シナリオにおいて必要とされる。その他の無線テクノロジーに関しても、ＵＲＬＬＣまたは類似の高信頼性通信をサポートするための強化が開発されている。たとえば、３ＧＰＰによって指定されたＬＴＥ（Ｌｏｎｇ  Ｔｅｒｍ  Ｅｖｏｌｕｔｉｏｎ）無線テクノロジーによるＵＲＬＬＣのサポートが、３ＧＰＰ文書ＲＰ−１７１４８９，３ＧＰＰ  ＴＳＧ  ＲＡＮ  Ｍｅｅｔｉｎｇ  ＃７６，Ｗｅｓｔ  Ｐａｌｍ  Ｂｅａｃｈ，ＵＳＡ（２０１７年６月）において論じられている。
【０００３】
信頼性およびレイテンシの両方が、干渉によって影響される可能性がある。たとえば、干渉の発生は、重要なデータを搬送する無線送信の失敗をもたらす可能性があり、データを成功裏に送信するための再送信を必要とする可能性がある。必要とされる再送信は、さらなる遅延をもたらし、レイテンシ要件に準拠しない結果となる可能性がある。さらに、干渉の発生は、重要なデータを搬送する無線送信の失敗、およびデータのすべての試みられた再送信の失敗をもたらして、信頼性要件に準拠しない結果となる可能性さえある。
【０００４】
所望の信頼性レベルを達成するために、無線通信システムは典型的に、たとえば、最悪のケースのシナリオにおいても信頼性要件を満たすように無線通信システムを設定することによって、大きめに規模設定される。しかしながら、干渉の影響を正確に考慮に入れることは困難であり、干渉は、無線通信システムのオペレーション中に変化する可能性がある。可変の干渉に対処するための典型的な方法は、たとえば、送信電力を増大させることによって、より低次の変調スキームを使用することによって、および／またはより高い冗長性レベルを伴うコーディングを使用することによって無線送信の堅牢性を増大させる目的で診断メカニズムおよび最適化メカニズムをトリガーすることによって、干渉に起因して発生する無線通信のパフォーマンスの劣化に対応することである。しかしながら、そのような事後対応的なアプローチでは、典型的には、パフォーマンスの劣化が発生している間に所望の信頼性を確実にすることが可能ではない。
【０００５】
したがって、干渉に潜在的にさらされる無線送信によるデータの信頼できる移送を、特にレイテンシ要件も保持しながら効率よく確実にすることを可能にする技術に対する必要性がある。
【発明の概要】
【０００６】
一実施形態によれば、無線送信を管理する方法が提供される。この方法によれば、第１の無線デバイスから第２の無線デバイスへの無線送信によるデータの送信中に、第３の無線デバイスが、第１の無線デバイスから第２の無線デバイスへの無線送信によって使用されている無線リソース上で干渉信号を送信するように制御される。干渉信号の送信に対してデータの送信が調整され、無線送信上での干渉信号の影響がモニタリングされる。
【０００７】
さらなる実施形態によれば、無線送信を管理するための装置が提供される。この装置は、第１の無線デバイスから第２の無線デバイスへの無線送信によるデータの送信中に、第１の無線デバイスから第２の無線デバイスへの無線送信によって使用されている無線リソース上で干渉信号を送信するように第３の無線デバイスを制御するように設定されている。さらに、この装置は、干渉信号の送信に対してデータの送信を調整するように設定されている。さらに、この装置は、無線送信上での干渉信号の影響をモニタリングするように設定されている。
【０００８】
さらなる実施形態によれば、無線送信を管理するための装置が提供される。この装置は、少なくとも１つのプロセッサと、前記少なくとも１つのプロセッサによって実行可能な命令を含むメモリとを含み、それによって、この装置は、上述の方法を実行するように作動する。詳細には、命令の実行によって、この装置は、第１の無線デバイスから第２の無線デバイスへの無線送信によるデータの送信中に、第１の無線デバイスから第２の無線デバイスへの無線送信によって使用されている無線リソース上で干渉信号を送信するように第３の無線デバイスを制御することと、干渉信号の送信に対してデータの送信を調整することと、無線送信上での干渉信号の影響をモニタリングすることとを行うように作動する。
【０００９】
さらなる実施形態によれば、システムが提供される。このシステムは、少なくとも第１の無線デバイス、第２の無線デバイス、および第３の無線デバイスを含む。第１の無線デバイスおよび第２の無線デバイスは、第１の無線デバイスから第２の無線デバイスへ無線送信によってデータを送信するように設定されている。第３の無線デバイスは、第１の無線デバイスから第２の無線デバイスへの無線送信によって使用されている無線リソース上で干渉信号を送信するように設定されている。第１の無線デバイス、第２の無線デバイス、および第３の無線デバイスのうちの少なくとも１つは、干渉信号の送信に対してデータの送信を調整するように設定されている。第１の無線デバイス、第２の無線デバイス、および第３の無線デバイスのうちの少なくとも１つは、無線送信上での干渉信号の影響をモニタリングするように設定されている。
【００１０】
本発明のさらなる実施形態によれば、無線送信を管理するための装置の少なくとも１つのプロセッサによって実行されるプログラムコードを含むコンピュータプログラムまたはコンピュータプログラム製品が、たとえば、非一時的ストレージメディアの形態で提供される。プログラムコードの実行は、第１の無線デバイスから第２の無線デバイスへの無線送信によるデータの送信中に、第１の無線デバイスから第２の無線デバイスへの無線送信によって使用されている無線リソース上で干渉信号を送信するように第３の無線デバイスを制御することを装置に行わせる。さらに、プログラムコードの実行は、干渉信号の送信に対してデータの送信を調整することを装置に行わせる。さらに、プログラムコードの実行は、無線送信上での干渉信号の影響をモニタリングすることを装置に行わせる。
【００１１】
そのような実施形態およびさらなる実施形態の詳細は、実施形態についての以降の詳細な説明から明らかになるであろう。
【図面の簡単な説明】
【００１２】
【図１】本発明の一実施形態による無線通信システムの要素を概略的に示す図である。
【図２】本発明の一実施形態による、干渉の影響が査定される例示的なシナリオを示す図である。
【図３】本発明の一実施形態による、干渉の影響が査定されるさらなる例示的なシナリオを示す図である。
【図４】本発明の一実施形態による、干渉の影響が査定されるさらなる例示的なシナリオを示す図である。
【図５】本発明の一実施形態による、干渉の影響が査定されるさらなる例示的なシナリオを示す図である。
【図６】本発明の一実施形態による、干渉の影響が査定されるさらなる例示的なシナリオを示す図である。
【図７】本発明の一実施形態による、干渉の影響が査定されるさらなる例示的なシナリオを示す図である。
【図８】本発明の一実施形態による、干渉信号の送信に対してデータの送信を調整することの例を示す図である。
【図９】本発明の一実施形態による、干渉信号の送信に対してデータの送信を調整することのさらなる例を示す図である。
【図１０】本発明の一実施形態による、無線送信を管理する方法を概略的に示すためのフローチャートである。
【図１１】本発明の一実施形態による装置の機能性を示すためのブロック図である。
【図１２】本発明の一実施形態による装置の構造を概略的に示す図である。
【発明を実施するための形態】
【００１３】
以降においては、本発明の例示的な実施形態によるコンセプトが、添付の図面を参照しながら、より詳細に説明される。示されている実施形態は、通信ネットワークにおける混雑の取り扱いに関連している。示されている例においては、通信ネットワークは、たとえば、３ＧＰＰ（３ｒｄ  Ｇｅｎｅｒａｔｉｏｎ  Ｐａｒｔｎｅｒｓｈｉｐ  Ｐｒｏｊｅｃｔ）によって指定されたＬＴＥ（Ｌｏｎｇ  Ｔｅｒｍ  Ｅｖｏｌｕｔｉｏｎ）無線アクセステクノロジーに、または３ＧＰＰによって現在開発されている５Ｇ（５ｔｈ  Ｇｅｎｅｒａｔｉｏｎ）無線アクセステクノロジーに基づく無線通信ネットワークであると想定される。しかしながら、その他の無線テクノロジー、たとえば、ＷＬＡＮ（Ｗｉｒｅｌｅｓｓ  Ｌｏｃａｌ  Ａｒｅａ  Ｎｅｔｗｏｒｋ）も使用されることが可能であるということに留意されたい。
【００１４】
示されている例においては、複数の無線デバイス、詳細には、１つまたは複数のアクセスノードと、それらのアクセスノードと無線送信によって通信する複数の無線デバイスとを含む無線通信ネットワークが想定される。しかしながら、無線ステーション同士が、たとえば、インフラストラクチャーのない、アドホックな、またはメッシュタイプの通信モードを使用して、互いと直接通信するアクセスノードを伴わない展開も利用されることが可能であるということに留意されたい。示されているコンセプトにおいては、制御された様式で干渉を生成することによって、無線通信ネットワークの正常なオペレーション中に干渉の影響が査定されることが可能である。第１の無線デバイスから第２の無線デバイスへ無線送信によってデータが送信されている間に、すなわち、第１の無線デバイスから第２の無線デバイスへのデータの送信中に、第３の無線デバイスが、第１の無線デバイスから第２の無線デバイスへの無線送信のために使用されている無線リソース上で干渉信号を送信するように制御され、第１の無線デバイスから第２の無線デバイスへの無線送信上での干渉信号の影響がモニタリングされる。干渉信号は、潜在的な現実世界の干渉をエミュレートするように生成されることが可能である。データの送信は、干渉信号の送信に対して調整される。この方法においては、データの送信上での干渉信号の送信の悪影響が回避されることが可能である。詳細には、干渉信号の送信がデータ送信の過度の遅延または喪失をもたらすことが回避されることが可能である。したがって、干渉信号にかかわらずに信頼性の保証が満たされることが可能である。
【００１５】
調整は、たとえば、再送信の早期のスケジューリングを含むことが可能である。すなわち、データの少なくとも一部分を第１の無線デバイスから第２の無線デバイスへ伝達する無線送信のうちの１つをスケジュールする際に、データのこの部分の再送信もスケジュールされることが可能である。したがって、たとえ干渉信号の送信が、データの部分の最初の送信が不成功となる結果をもたらしても、スケジュールされた再送信は、データのその部分が過度の遅延を伴わずに成功裏に送信されることを確実にすることが可能である。追加として、または代替として、調整は、ダミー送信、すなわち、データまたはその他の有用な情報を伝達するために使用されない無線送信を、第３の無線デバイスが干渉信号を送信する無線リソース上で実行することを含むことも可能である。このケースにおいては、干渉信号の存在に起因してデータの部分の最初の送信が不成功になった場合に、それでもなおデータの送信の悪影響はない。なぜならダミー送信は、データを伝達するために使用されないからである。
【００１６】
図１は、上で概説されているコンセプトが実施されることが可能である無線通信システムの例を示している。図１の例においては、工場環境が想定されており、その環境においては、無線通信ネットワークを通じて、たとえば、集中化されたコントローラを使用して、マシンが制御される。図１の例においては、無線通信ネットワークは、アクセスポイント１００、および、マシンに接続されているまたはその他の形で関連付けられている無線デバイス１０の形態の無線デバイスを含む。無線デバイス１０は、たとえば、マシンのセンサおよび／または遠隔制御されているアクチュエータに対応することが可能である。さらに示されているように、干渉デバイス２０が提供されており、干渉デバイス２０は、干渉信号を送信するために使用される。干渉デバイス２０は、干渉信号を送信するように設定および制御されている、無線デバイス１０のうちの１つであることが可能である。しかしながら、干渉デバイス２０は、アクセスポイントによって、または干渉信号の送信専用であるテストデバイスによって実装されることも可能である。
【００１７】
図２は、上で概説されているように干渉の影響が査定されるシナリオを概略的に示している。図２のシナリオは、無線デバイス１０のうちの１つ、アクセスポイント１００、干渉デバイス２０、およびコントローラ２００を含む。図２の例においては、コントローラ２００は、干渉信号の送信に対してのデータの送信の調整と、干渉の影響をモニタリングすることとを担当すると想定される。上述されているように、干渉デバイス２０は、無線デバイス１０のうちの別の１つ、別のアクセスポイント、または専用のテストデバイスであることが可能である。
【００１８】
図２のシナリオにおいては、無線デバイス１０は、アクセスポイント１００へデータを伝達するために（実線の矢印によって示されている）無線送信を使用すると想定される。干渉デバイス２０は、無線デバイス１０からアクセスポイント１００へのこれらの無線送信によって使用されている無線リソース上で（破線の矢印によって示されている）干渉信号を送信するように制御される。コントローラ２００は、たとえば、無線デバイス１０からアクセスポイント１００への無線送信のために使用されているのと同じタイムスロットにおいて、および同じ周波数リソース上で干渉信号を送信するように干渉デバイス２０を制御することが可能である。しかしながら、いくつかのケースにおいては、干渉信号の送信は、無線デバイス１０からアクセスポイント１００への無線送信のために使用されているタイムスロットと部分的にのみ重なる時間リソースにおいて、部分的に重なる周波数リソース上で、および／または近隣の周波数リソース上で発生するように制御されることも可能であるということに留意されたい。コントローラ２００は、干渉信号の送信のために適用される送信電力、送信バンド幅、および／またはアンテナ設定を制御することも可能である。いくつかのシナリオにおいては、コントローラ２００は、干渉信号を送信する際の干渉デバイス２０の位置、および／または干渉信号が送信される際の角度を制御することも可能である。たとえば、干渉デバイスは、ロボットマシンに接続されることまたはその他の形で関連付けられることが可能であり、干渉信号を送信する際の干渉デバイス２０の位置、および／または干渉信号が送信される際の角度は、ロボットマシンを動かすことによって制御されることが可能である。
【００１９】
アクセスポイント１００は、無線送信を受信し、受信された無線送信の受信品質を測定する。これは、たとえば、無線送信が成功裏にデコードされることが可能であるかどうかを特定すること、および／またはＳＮＲ（Ｓｉｇｎａｌ  ｔｏ  Ｎｏｉｓｅ  Ｒａｔｉｏ（信号対雑音比））、ＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ（信号対干渉雑音比））、もしくは類似の信号品質インジケータを測定することを含むことが可能である。アクセスポイント１００は、測定された受信品質の１つまたは複数のレポートをコントローラ２００へ送信する。レポートに基づいて、コントローラ２００は、たとえば、干渉信号が受信品質の過度の劣化をもたらすかどうかをチェックすることによって、干渉の影響をモニタリングする。干渉のモニタリングされた影響に基づいて、コントローラ２００は次いで、受信品質の過度の劣化を検知したことに応答して、たとえば、より高い送信電力またはより堅牢な変調およびコーディングスキームを選択することによって、無線デバイス１０からアクセスポイント１００への無線送信を最適化することが可能である。
【００２０】
図３は、上で概説されているように干渉の影響が査定されるさらなるシナリオを概略的に示している。図３のシナリオは、無線デバイス１０のうちの１つ、アクセスポイント１００、干渉デバイス２０、およびコントローラ２００を含む。図３の例においても、コントローラ２００は、干渉信号の送信に対してのデータの送信の調整と、干渉の影響をモニタリングすることとを担当すると想定される。上述されているように、干渉デバイス２０は、無線デバイス１０のうちの別の１つ、別のアクセスポイント、または専用のテストデバイスであることが可能である。
【００２１】
図３のシナリオにおいては、アクセスポイント１００は、無線デバイス１０へデータを伝達するために（実線の矢印によって示されている）無線送信を使用すると想定される。干渉デバイス２０は、アクセスポイント１００から無線デバイス１０へのこれらの無線送信によって使用されている無線リソース上で（破線の矢印によって示されている）干渉信号を送信するように制御される。コントローラ２００は、たとえば、アクセスポイント１００から無線デバイス１０への無線送信のために使用されているのと同じタイムスロットにおいて、および同じ周波数リソース上で干渉信号を送信するように干渉デバイス２０を制御することが可能である。しかしながら、いくつかのケースにおいては、干渉信号の送信は、無線デバイス１０からアクセスポイント１００への無線送信のために使用されているタイムスロットと部分的にのみ重なる時間リソースにおいて、部分的に重なる周波数リソース上で、および／または近隣の周波数リソース上で発生するように制御されることも可能であるということに留意されたい。コントローラ２００は、干渉信号の送信のために適用される送信電力、送信バンド幅、および／またはアンテナ設定を制御することも可能である。いくつかのシナリオにおいては、コントローラ２００は、干渉信号を送信する際の干渉デバイス２０の位置、および／または干渉信号が送信される際の角度を制御することも可能である。たとえば、干渉デバイスは、ロボットマシンに接続されることまたはその他の形で関連付けられることが可能であり、干渉信号を送信する際の干渉デバイス２０の位置、および／または干渉信号が送信される際の角度は、ロボットマシンを動かすことによって制御されることが可能である。
【００２２】
無線デバイス１０は、無線送信を受信し、受信された無線送信の受信品質を測定する。これは、たとえば、無線送信が成功裏にデコードされることが可能であるかどうかを特定すること、および／またはＳＮＲ、ＳＩＮＲ、もしくは類似の信号品質インジケータを測定することを含むことが可能である。無線デバイス１０は、測定された受信品質の１つまたは複数のレポートをコントローラ２００へ送信する。これは、アクセスポイント１００を介して達成されることが可能である。しかしながら、コントローラ２００にレポートを提供するその他の方法、たとえば、別の無線接続、一時的な有線接続、または、ＵＳＢ（Ｕｎｉｖｅｒｓａｌ  Ｓｅｒｉａｌ  Ｂｕｓ（ユニバーサルシリアルバス））ストレージデバイスなどのストレージデバイスを介した転送を使用することも考慮されることが可能である。レポートに基づいて、コントローラ２００は、たとえば、干渉信号が受信品質の過度の劣化をもたらすかどうかをチェックすることによって、干渉の影響をモニタリングする。干渉のモニタリングされた影響に基づいて、コントローラ２００は次いで、受信品質の過度の劣化を検知したことに応答して、たとえば、より高い送信電力またはより堅牢な変調およびコーディングスキームを選択することによって、アクセスポイント１００から無線デバイス１０への無線送信を最適化することが可能である。
【００２３】
図４は、上で概説されているように干渉の影響が査定されるさらなるシナリオを概略的に示している。図４のシナリオは、以降では第１の無線デバイス１０および第２の無線デバイス１０’と呼ばれる無線デバイス１０のうちの２つと、アクセスポイント１００と、コントローラ２００とを含む。図４の例においても、コントローラ２００は、干渉信号の送信に対してのデータの送信の調整と、干渉の影響をモニタリングすることとを担当すると想定される。図４の例においては、アクセスポイント１００は、干渉信号を送信し、すなわち、干渉デバイスとして機能する。
【００２４】
図４のシナリオにおいては、第１の無線デバイス１０は、第２の無線デバイス１０’へデータを伝達するために（実線の矢印によって示されている）無線送信を使用すると想定される。アクセスポイント１００は、第１の無線デバイス１０から第２の無線デバイス１０’へのこれらの無線送信によって使用されている無線リソース上で（破線の矢印によって示されている）干渉信号を送信するように制御される。コントローラ２００は、たとえば、第１の無線デバイス１０から第２の無線デバイス１０’への無線送信のために使用されているのと同じタイムスロットにおいて、および同じ周波数リソース上で干渉信号を送信するようにアクセスポイント１００を制御することが可能である。しかしながら、いくつかのケースにおいては、干渉信号の送信は、無線デバイス１０からアクセスポイント１００への無線送信のために使用されているタイムスロットと部分的にのみ重なる時間リソースにおいて、部分的に重なる周波数リソース上で、および／または近隣の周波数リソース上で発生するように制御されることも可能であるということに留意されたい。
【００２５】
第２の無線デバイス１０’は、無線送信を受信し、受信された無線送信の受信品質を測定する。これは、たとえば、無線送信が成功裏にデコードされることが可能であるかどうかを特定すること、および／またはＳＮＲ、ＳＩＮＲ、もしくは類似の信号品質インジケータを測定することを含むことが可能である。第２の無線デバイス１０’は、測定された受信品質の１つまたは複数のレポートをコントローラ２００へ送信する。これは、アクセスポイント１００を介して達成されることが可能である。しかしながら、コントローラ２００にレポートを提供するその他の方法、たとえば、別の無線接続、一時的な有線接続、または、ＵＳＢストレージデバイスなどのストレージデバイスを介した転送を使用することも考慮されることが可能である。レポートに基づいて、コントローラ２００は、たとえば、干渉信号が受信品質の過度の劣化をもたらすかどうかをチェックすることによって、干渉の影響をモニタリングする。干渉のモニタリングされた影響に基づいて、コントローラ２００は次いで、受信品質の過度の劣化を検知したことに応答して、たとえば、より高い送信電力またはより堅牢な変調およびコーディングスキームを選択することによって、第１の無線デバイス１０から第２の無線デバイス１０’への無線送信を最適化することが可能である。
【００２６】
図５は、上で概説されているように干渉の影響が査定されるさらなるシナリオを概略的に示している。図５のシナリオは、無線デバイス１０のうちの１つ、アクセスポイント１００、および干渉デバイス２０を含む。図５の例においては、アクセスポイント１００は、干渉信号の送信に対してのデータの送信の調整と、干渉の影響をモニタリングすることとを担当するコントローラ１５０を備えると想定される。上述されているように、干渉デバイス２０は、無線デバイス１０のうちの別の１つ、別のアクセスポイント、または専用のテストデバイスであることが可能である。
【００２７】
図５のシナリオにおいては、無線デバイス１０は、アクセスポイント１００へデータを伝達するために（実線の矢印によって示されている）無線送信を使用すると想定される。干渉デバイス２０は、無線デバイス１０からアクセスポイント１００へのこれらの無線送信によって使用されている無線リソース上で（破線の矢印によって示されている）干渉信号を送信するように制御される。コントローラ１５０は、たとえば、無線デバイス１０からアクセスポイント１００への無線送信のために使用されているのと同じタイムスロットにおいて、および同じ周波数リソース上で干渉信号を送信するように干渉デバイス２０を制御することが可能である。しかしながら、いくつかのケースにおいては、干渉信号の送信は、無線デバイス１０からアクセスポイント１００への無線送信のために使用されているタイムスロットと部分的にのみ重なる時間リソースにおいて、部分的に重なる周波数リソース上で、および／または近隣の周波数リソース上で発生するように制御されることも可能であるということに留意されたい。コントローラ１５０は、干渉信号の送信のために適用される送信電力、送信バンド幅、および／またはアンテナ設定を制御することも可能である。いくつかのシナリオにおいては、コントローラ１５０は、干渉信号を送信する際の干渉デバイス２０の位置、および／または干渉信号が送信される際の角度を制御することも可能である。たとえば、干渉デバイスは、ロボットマシンに接続されることまたはその他の形で関連付けられることが可能であり、干渉信号を送信する際の干渉デバイス２０の位置、および／または干渉信号が送信される際の角度は、ロボットマシンを動かすことによって制御されることが可能である。
【００２８】
アクセスポイント１００は、無線送信を受信し、受信された無線送信の受信品質を測定する。これは、たとえば、無線送信が成功裏にデコードされることが可能であるかどうかを特定すること、および／またはＳＮＲ、ＳＩＮＲ、もしくは類似の信号品質インジケータを測定することを含むことが可能である。測定された受信品質に基づいて、コントローラ１５０は、たとえば、干渉信号が受信品質の過度の劣化をもたらすかどうかをチェックすることによって、干渉の影響をモニタリングする。干渉のモニタリングされた影響に基づいて、コントローラ１５０は次いで、受信品質の過度の劣化を検知したことに応答して、たとえば、より高い送信電力またはより堅牢な変調およびコーディングスキームを選択することによって、無線デバイス１０からアクセスポイント１００への無線送信を最適化することが可能である。
【００２９】
図６は、上で概説されているように干渉の影響が査定されるさらなるシナリオを概略的に示している。図６のシナリオは、無線デバイス１０のうちの１つ、アクセスポイント１００、および干渉デバイス２０を含む。図６の例においても、アクセスポイント１００は、干渉信号の送信に対してのデータの送信の調整と、干渉の影響をモニタリングすることとを担当するコントローラ１５０を備えると想定される。上述されているように、干渉デバイス２０は、無線デバイス１０のうちの別の１つ、別のアクセスポイント、または専用のテストデバイスであることが可能である。
【００３０】
図６のシナリオにおいては、アクセスポイント１００は、無線デバイス１０へデータを伝達するために（実線の矢印によって示されている）無線送信を使用すると想定される。干渉デバイス２０は、アクセスポイント１００から無線デバイス１０へのこれらの無線送信によって使用されている無線リソース上で（破線の矢印によって示されている）干渉信号を送信するように制御される。コントローラ１５０は、たとえば、アクセスポイント１００から無線デバイス１０への無線送信のために使用されているのと同じタイムスロットにおいて、および同じ周波数リソース上で干渉信号を送信するように干渉デバイス２０を制御することが可能である。しかしながら、いくつかのケースにおいては、干渉信号の送信は、無線デバイス１０からアクセスポイント１００への無線送信のために使用されているタイムスロットと部分的にのみ重なる時間リソースにおいて、部分的に重なる周波数リソース上で、および／または近隣の周波数リソース上で発生するように制御されることも可能であるということに留意されたい。コントローラ１５０は、干渉信号の送信のために適用される送信電力、送信バンド幅、および／またはアンテナ設定を制御することも可能である。いくつかのシナリオにおいては、コントローラ１５０は、干渉信号を送信する際の干渉デバイス２０の位置、および／または干渉信号が送信される際の角度を制御することも可能である。たとえば、干渉デバイスは、ロボットマシンに接続されることまたはその他の形で関連付けられることが可能であり、干渉信号を送信する際の干渉デバイス２０の位置、および／または干渉信号が送信される際の角度は、ロボットマシンを動かすことによって制御されることが可能である。
【００３１】
無線デバイス１０は、無線送信を受信し、受信された無線送信の受信品質を測定する。これは、たとえば、無線送信が成功裏にデコードされることが可能であるかどうかを特定すること、および／またはＳＮＲ、ＳＩＮＲ、もしくは類似の信号品質インジケータを測定することを含むことが可能である。無線デバイス１０は、測定された受信品質の１つまたは複数のレポートをアクセスポイント１００内のコントローラ１５０へ送信する。レポートに基づいて、コントローラ１５０は、たとえば、干渉信号が受信品質の過度の劣化をもたらすかどうかをチェックすることによって、干渉の影響をモニタリングする。干渉のモニタリングされた影響に基づいて、コントローラ１５０は次いで、受信品質の過度の劣化を検知したことに応答して、たとえば、より高い送信電力またはより堅牢な変調およびコーディングスキームを選択することによって、アクセスポイント１００から無線デバイス１０への無線送信を最適化することが可能である。
【００３２】
図７は、上で概説されているように干渉の影響が査定されるさらなるシナリオを概略的に示している。図７のシナリオは、以降では第１の無線デバイス１０および第２の無線デバイス１０’と呼ばれる無線デバイス１０のうちの２つ、およびアクセスポイント１００を含む。図７の例においても、アクセスポイント１００は、干渉信号の送信に対してのデータの送信の調整と、干渉の影響をモニタリングすることとを担当するコントローラ１５０を備えると想定される。図７の例においては、アクセスポイント１００は、干渉信号を送信し、すなわち、干渉デバイスとして機能する。
【００３３】
図７のシナリオにおいては、第１の無線デバイス１０は、第２の無線デバイス１０’へデータを伝達するために（実線の矢印によって示されている）無線送信を使用すると想定される。アクセスポイント１００は、第１の無線デバイス１０から第２の無線デバイス１０’へのこれらの無線送信によって使用されている無線リソース上で（破線の矢印によって示されている）干渉信号を送信するように制御される。コントローラ１５０は、たとえば、第１の無線デバイス１０から第２の無線デバイス１０’への無線送信のために使用されているのと同じタイムスロットにおいて、および同じ周波数リソース上で干渉信号を送信するようにアクセスポイント１００を制御することが可能である。しかしながら、いくつかのケースにおいては、干渉信号の送信は、無線デバイス１０からアクセスポイント１００への無線送信のために使用されているタイムスロットと部分的にのみ重なる時間リソースにおいて、部分的に重なる周波数リソース上で、および／または近隣の周波数リソース上で発生するように制御されることも可能であるということに留意されたい。
【００３４】
第２の無線デバイス１０’は、無線送信を受信し、受信された無線送信の受信品質を測定する。これは、たとえば、無線送信が成功裏にデコードされることが可能であるかどうかを特定すること、および／またはＳＮＲ、ＳＩＮＲ、もしくは類似の信号品質インジケータを測定することを含むことが可能である。第２の無線デバイス１０は、測定された受信品質の１つまたは複数のレポートをアクセスポイント１００内のコントローラ１５０へ送信する。レポートに基づいて、コントローラ１５０は、たとえば、干渉信号が受信品質の過度の劣化をもたらすかどうかをチェックすることによって、干渉の影響をモニタリングする。干渉のモニタリングされた影響に基づいて、コントローラ１５０は次いで、受信品質の過度の劣化を検知したことに応答して、たとえば、より高い送信電力またはより堅牢な変調およびコーディングスキームを選択することによって、第１の無線デバイス１０から第２の無線デバイス１０’への無線送信を最適化することが可能である。
【００３５】
図２〜図７の例示的なシナリオから理解されることが可能であるように、示されているコンセプトにおいては、干渉デバイスによる干渉信号の送信を、以降ではテスト対象送信機とも呼ばれる第１の無線デバイスから、以降ではテスト対象受信機とも呼ばれる第２の無線デバイスへの無線送信によるデータの送信中に発生するように設定および制御することによって、干渉の影響が査定されることが可能である。干渉デバイスによる干渉信号の送信の設定および制御は、無線デバイスのうちの１つによって、たとえば、図５〜図７の例のアクセスポイント１００によって、または図２〜図４の例のコントローラ２００など、無線デバイスとは別個のコントローラによって達成されることが可能である。さらに、図５〜図７の例のアクセスポイント１００と同様に、無線デバイス１０のうちの１つもしくは複数または干渉デバイス２０も、干渉信号の送信を設定および制御するコントローラを備えることが可能である。
【００３６】
上述されているように、干渉信号の送信は、テスト対象送信機からテスト対象受信機へのデータの送信に対して調整される。図８は、この調整がテスト対象送信機（ＴＴ）からテスト対象受信機（ＴＲ）への再送信の早期のスケジューリングによって達成される例を示している。図８の例においては、無線通信システムにおける無線送信は、タイムスロットにおいて編成されると想定される。図８は、時間ｔの順に左から右へ配列されている０から１５までのインデックス値によって表記される一連のタイムスロットを示している。
【００３７】
示されているように、タイムスロットのうちの１つまたは複数は、テスト対象送信機、テスト対象受信機、および干渉デバイス（ＩＤ）の設定（ＣＯＮＦ）のために使用されることが可能である。この設定は、たとえば、干渉デバイスによる干渉信号の送信のために適用される送信電力、送信バンド幅、送信周波数、送信タイミング、および／またはアンテナ設定を設定することを含むことが可能である。いくつかのシナリオにおいては、設定は、干渉デバイスの位置および／または干渉信号が送信される際の角度を設定することを含むことも可能である。図８の例においては、干渉信号の送信は、インデックス３を有するタイムスロットにおいて発生するように設定されている。さらに、図８の例は、設定が、テスト対象送信機からテスト対象受信機へデータを伝達する無線送信をスケジュールすること、およびまたこれらのデータの再送信をスケジュールすることを含むと想定している。図８の例においては、データの最初の送信は、インデックス３を有するタイムスロットにおいてスケジュールされ、データの再送信は、インデックス９を有するタイムスロットにおいてスケジュールされる。しかしながら、このタイミングは一例にすぎないということに留意されたい。レイテンシの保証を満たすために、データの最初の送信および再送信は、保証されているレイテンシを超えない時間ウィンドウ内でスケジュールされることが可能である。設定は、管理情報をテスト対象送信機、テスト対象受信機、および／または干渉デバイスへ送信することによって達成されることが可能である。管理情報は、たとえば、インデックス３を有するタイムスロットにおいて干渉信号を送信するように干渉デバイスに指示すること、インデックス３を有するタイムスロットにおいてデータを伝達する最初の無線送信を送信するようにテスト対象送信機に指示すること、およびインデックス９を有するタイムスロットにおいてデータの再送信を実行するようにテスト対象送信機に指示することが可能である。管理情報は、データを伝達する無線送信が、インデックス３を有するタイムスロットにおいて予期されることになり、再送信が、インデックス９を有するタイムスロットにおいて予期されることになるということをテスト対象受信機に知らせることも可能である。さらに、管理情報は、インデックス３を有するタイムスロットにおいて、および任意選択で、インデックス９を有するタイムスロットにおいても、無線送信の受信品質を測定するようにテスト対象受信機に指示することが可能である。管理情報は、アクセスポイント１００から無線デバイス１０もしくは干渉デバイス２０への無線送信など、１つもしくは複数の無線送信によって、および／またはコントローラ２００からアクセスポイント１００への有線ベースの送信など、有線ベースの送信によって伝達されることが可能である。
【００３８】
設定によれば、インデックス３を有するタイムスロットにおいて、テスト対象送信機は、ＴＸによって示されているように、データを伝達する無線送信を送信し、テスト対象受信機は、ＲＸによって示されているように、この無線送信を受信する。同時に、干渉デバイスは、ＩＦによって示されているように、干渉信号を送信する。テスト対象受信機はまた、受信された無線送信の受信品質を、たとえば、その無線送信が成功裏にデコードされることが可能であるかどうかをチェックすることによって、および／またはＳＮＲ、ＳＩＮＲ、もしくは類似の品質インジケータを測定することによって、測定する。ＲＴＸによって示されているように、テスト対象送信機は次いで、スケジュールされた再送信を実行し、テスト対象受信機は、その再送信を受信する。ここでは、テスト対象送信機は、テスト対象受信機からのいかなるフィードバックにもかかわらずに再送信を実行するということに留意されたい。すなわち、再送信は、テスト対象受信機からのフィードバックによってトリガーされるよりもむしろ、事前に設定されている。テスト対象受信機は、受信された再送信の受信品質を、たとえば、その再送信が成功裏にデコードされることが可能であるかどうかをチェックすることによって、および／またはＳＮＲ、ＳＩＮＲ、もしくは類似の品質インジケータを測定することによって、測定することも可能である。干渉デバイスは、スケジュールされた再送信のタイムスロットにおいて干渉信号を送信しないように設定されているので、再送信の受信品質を測定することは、干渉信号が存在している場合の（インデックス３を有するタイムスロットにおける）受信品質と、干渉信号が存在していない場合の（インデックス９を有するタイムスロットにおける）受信品質とを比較することによって、干渉の影響のさらに正確な査定を可能にすることができる。ＲＰによって示されているように、テスト対象受信機は次いで、測定された受信品質を報告することが可能である。
【００３９】
図９は、干渉信号の送信に対してのデータの送信の調整が、テスト対象送信機（ＴＴ）からテスト対象受信機（ＴＲ）へのダミー送信（ＤＴＸ）を設定することを含むさらなる例を示している。図９の例においても、無線通信システムにおける無線送信は、タイムスロットにおいて編成されると想定される。図９は、時間ｔの順に左から右へ配列されている０から１５までのインデックス値によって表記される一連のタイムスロットを示している。
【００４０】
示されているように、タイムスロットのうちの１つまたは複数は、テスト対象送信機、テスト対象受信機、および干渉デバイス（ＩＤ）の設定（ＣＯＮＦ）のために使用されることが可能である。この設定は、たとえば、干渉デバイスによる干渉信号の送信のために適用される送信電力、送信バンド幅、送信周波数、送信タイミング、および／またはアンテナ設定を設定することを含むことが可能である。いくつかのシナリオにおいては、設定は、干渉デバイスの位置および／または干渉信号が送信される際の角度を設定することを含むことも可能である。図９の例においては、干渉信号（ＩＦ）の送信は、インデックス３を有するタイムスロットにおいて発生するように設定されている。さらに、図９の例は、設定が、干渉信号の送信のために使用されることになるタイムスロットにおける無線送信をダミー送信として、すなわち、テスト対象送信機からテスト対象受信機へデータを伝達するために使用されない無線送信として設定することを含むと想定している。ダミー送信は、データを伝達するために使用される正常な無線送信に加えて設定される。ダミー送信は、データを伝達するために使用される正常な無線送信をエミュレートすることが可能であり、たとえば、データの代わりにパディングまたは事前に規定されたパターンを含むことが可能である。設定は、管理情報をテスト対象送信機、テスト対象受信機、および／または干渉デバイスへ送信することによって達成されることが可能である。管理情報は、たとえば、インデックス３を有するタイムスロットにおいて干渉信号を送信するように干渉デバイスに指示すること、インデックス３を有するタイムスロットにおいてダミー送信を送信するようにテスト対象送信機に指示すること、およびダミー送信が、インデックス３を有するタイムスロットにおいて予期されることになるということをテスト対象受信機に知らせることが可能である。管理情報は、データを伝達する無線送信が、インデックス９を有するタイムスロットにおいて予期されることになるということをテスト対象受信機に知らせることも可能である。さらに、管理情報は、インデックス３を有するタイムスロットにおいてダミー送信の受信品質を測定するように、およびタイムスロット９においてデータを伝達する無線送信の受信品質を任意選択で測定するようにテスト対象受信機に指示することが可能である。図９のシナリオにおいて想定されるタイミングは、一例にすぎないということと、干渉信号の送信およびダミー送信のために、ならびにデータを伝達する正常な無線送信の送信のために他のタイムスロットが使用されることが可能であるということとに留意されたい。管理情報は、アクセスポイント１００から無線デバイス１０もしくは干渉デバイス２０への無線送信など、１つもしくは複数の無線送信によって、および／またはコントローラ２００からアクセスポイント１００への有線ベースの送信など、有線ベースの送信によって伝達されることが可能である。
【００４１】
設定によれば、インデックス３を有するタイムスロットにおいて、テスト対象送信機は、ＤＴＸによって示されているように、ダミー送信を送信し、テスト対象受信機は、ＲＸによって示されているように、ダミー送信を受信する。同時に、干渉デバイスは、ＩＦによって示されているように、干渉信号を送信する。テスト対象受信機はまた、受信された無線送信の受信品質を、たとえば、ダミー送信が成功裏にデコードされることが可能であるかどうかをチェックすることによって、受信されたダミー送信が、予期されている特徴に対応するかどうか、たとえば、そのダミー送信がデータの代わりに上述のパディングもしくは事前に規定されたパターンを有しているかどうかをチェックすることによって、および／またはＳＮＲ、ＳＩＮＲ、もしくは類似の品質インジケータを測定することによって、測定する。ＴＸによって示されているように、テスト対象送信機は次いで、データを伝達する正常な無線送信を実行し、テスト対象受信機は、この無線送信を受信する。テスト対象受信機は、受信された正常な無線送信の受信品質を、たとえば、その正常な無線送信が成功裏にデコードされることが可能であるかどうかをチェックすることによって、および／またはＳＮＲ、ＳＩＮＲ、もしくは類似の品質インジケータを測定することによって、測定することも可能である。干渉デバイスは、正常な無線送信の再送信のタイムスロットにおいて干渉信号を送信しないように設定されているので、正常な無線送信の受信品質を測定することは、干渉信号が存在している場合の（インデックス３を有するタイムスロットにおける）受信品質と、干渉信号が存在していない場合の（インデックス９を有するタイムスロットにおける）受信品質とを比較することによって、干渉の影響のさらに正確な査定を可能にすることができる。ＲＰによって示されているように、テスト対象受信機は次いで、測定された受信品質を報告することが可能である。
【００４２】
図１０は、示されているコンセプトを実施するために利用されることが可能である、無線送信を制御する方法を示すためのフローチャートを示している。この方法の少なくとも一部分は、無線デバイス１０のうちの１つ、干渉デバイス２０、またはアクセスポイント１００など、無線デバイスにおいて、またはコントローラ２００においてなど、無線デバイスを制御するための装置において実施されることが可能である。いくつかのシナリオにおいては、この方法は、複数の無線デバイスから形成されているシステムにおいて、または複数の無線デバイスと、それらの無線デバイスを制御するための装置とから形成されているシステムにおいて、分散された様式で実施されることも可能である。そのような装置のプロセッサベースの実施態様が使用される場合には、この方法のステップのうちの少なくともいくつかは、装置の１つまたは複数のプロセッサによって実行および／または制御されることが可能である。そのような装置は、この方法の以降で記述されている機能性またはステップのうちの少なくともいくつかを実施するためのプログラムコードを格納しているメモリを含むことも可能である。
【００４３】
ステップ１０１０において、干渉信号の送信が制御される。具体的には、第１の無線デバイスから第２の無線デバイスへの無線送信によるデータの送信中に、第３の無線デバイスが、第１の無線デバイスから第２の無線デバイスへの無線送信によって使用されている無線リソース上で干渉信号を送信するように制御される。干渉信号の送信は、第１の無線デバイスから第２の無線デバイスへの無線によって使用されているのと同じ時間リソース、たとえば、同じタイムスロット上で発生するように制御されることが可能である。しかしながら、いくつかのケースにおいては、干渉信号の送信は、第１の無線デバイスから第２の無線デバイスへの無線送信のために使用されているタイムスロットと部分的にのみ重なる時間リソースにおいて発生するように制御されることも可能である。同様に、干渉信号の送信は、第１の無線デバイスから第２の無線デバイスへの無線によって使用されているのと同じ周波数リソース、たとえば、同じキャリア周波数上で発生するように制御されることが可能である。しかしながら、いくつかのケースにおいては、干渉信号の送信は、第１の無線デバイスから第２の無線デバイスへの無線送信のために使用されている周波数リソースと部分的にのみ重なる周波数リソース上で、および／または近隣の周波数リソース上で発生するように制御されることも可能である。
【００４４】
ステップ１０１０における第３の無線デバイスの制御は、干渉信号の送信電力、干渉信号の送信周波数、干渉信号の送信タイミング、および／または干渉信号の送信バンド幅を設定することを含むことが可能である。追加として、または代替として、ステップ１０１０の制御は、たとえば、第３の無線デバイスが接続されているもしくはその他の形で関連付けられているロボットマシンを制御することによって、第３の無線デバイスの位置を制御すること、および／または干渉信号の送信方向を制御することを含むことが可能である。
【００４５】
ステップ１０２０において、干渉信号の送信に対してデータの送信が調整される。この調整は、無線デバイスが自分自身の送信を制御すること、無線デバイスまたは制御装置が、１つまたは複数のその他の無線デバイスによる送信を能動的に制御すること、または受信された管理情報に基づいて無線デバイスが制御されていることを含むことが可能である。したがって、ステップ１０２０の調整は、第１の無線デバイス、第２の無線デバイス、および第３の無線デバイスのうちの少なくとも１つに提供される管理情報に基づくことが可能である。図２〜図４に示されているようなシナリオにおいては、管理情報は、上述のコントローラなど、第１の無線デバイス、第２の無線デバイス、および第３の無線デバイスとは別個の制御デバイスまたは装置によって提供されることが可能である。図５〜図７に示されているようなシナリオにおいては、管理情報は、第１の無線デバイス、第２の無線デバイス、または第３の無線デバイスのうちの１つによって提供されることが可能である。
【００４６】
たとえば図８に関連して説明されているように、ステップ１０２０の調整は、スケジューリングに基づくことが可能である。詳細には、第３の無線デバイスが干渉信号を送信する無線リソース上で無線送信をスケジュールする際に、その無線送信によって伝達されるデータの再送信もスケジュールされることが可能である。したがって、再送信が早期にスケジュールされることが可能であり、それによって、ステップ１０１０において送信された干渉信号の結果として、データの少なくとも一部分を第１の無線デバイスから第２の無線デバイスへ伝達する無線送信が不成功になるケースにおいて過度のレイテンシが導入されることを回避する。再送信は、第３の無線デバイスが干渉信号を送信しない他の無線リソース上で、たとえば、図８の例において説明されているように別のタイムスロットにおいてスケジュールされることが可能である。
【００４７】
追加として、または代替として、ステップ１０２０の調整は、第３の無線デバイスが干渉信号を送信する無線リソース上で実行される無線送信のうちの少なくとも１つをダミー送信として設定することを含むことが可能である。ダミー送信は、第１の無線デバイスから第２の無線デバイスへデータを伝達するためには使用されず、すなわち、有用な情報を伝達する目的を有しておらず、テストの目的の専用である。ダミー送信を設定するケースにおいては、ステップ１０２０の調整は、ダミー送信の特徴についての、たとえば、ダミー送信がいつ予期されることになるかについての、またはデータの代わりにダミー送信に含まれる事前に規定されたパターンもしくはパディングについての情報を第２の無線デバイスに提供することを含むことも可能である。
【００４８】
ステップ１０３０において、無線送信上での干渉信号の影響がモニタリングされる。無線送信上での干渉信号の影響のこのモニタリングは、第３の無線デバイスが干渉信号を送信する無線リソース上での無線送信の受信品質のモニタリングを含むことが可能である。モニタリングは、第２の無線デバイスによる受信品質の測定に基づくことが可能である。第２の無線デバイスは、そのような測定の少なくとも１つのレポートを提供することが可能であり、第２の無線デバイスによって提供される少なくとも１つのレポートに基づいて、無線デバイスのうちの別の１つによって、または別個の制御デバイスもしくは装置によって、モニタリングが実行されることが可能である。したがって、無線送信上での干渉信号の影響のモニタリングは、第２の無線デバイスによって提供される少なくとも１つのレポートに基づくことが可能である。
【００４９】
再送信をスケジュールする上述のケースにおいては、無線送信上での干渉信号の影響のモニタリングは、再送信の受信品質のモニタリングを含むことも可能である。このケースにおいても、モニタリングは、第２の無線デバイスによる受信品質の測定、または第２の無線デバイスによって提供される測定された受信品質のレポートに基づくことが可能である。
【００５０】
ダミー送信を設定する上述のケースにおいては、無線送信上での干渉信号の影響のモニタリングは、ダミー送信の受信品質のモニタリングを含むことが可能である。このケースにおいても、モニタリングは、第２の無線デバイスによる受信品質の測定、または第２の無線デバイスによって提供される測定された受信品質のレポートに基づくことが可能である。
【００５１】
ステップ１０４０において、ステップ１０３０のモニタリングに基づいて無線送信が最適化されることが可能である。この最適化は、受信品質の過度の劣化を検知したことに応答して、たとえば、より高い送信電力またはより堅牢な変調およびコーディングスキームを選択することによって、たとえば、無線送信の１つまたは複数のリンク適合パラメータを制御することを含むことが可能である。
【００５２】
図１１は、図１０の方法に従って動作する装置１１００の機能性を示すためのブロック図を示している。装置１１００は、たとえば、上述の無線デバイス１０のうちの１つ、干渉デバイス２０、アクセスポイント１００、もしくはコントローラ２００、またはそれらの少なくとも一部分を実施することが可能である。示されているように、装置１１００は、ステップ１０１０に関連して説明されているような、干渉信号の送信を制御するように設定されているモジュール１１１０を備えることが可能である。さらに、装置１１００は、ステップ１０２０に関連して説明されているような、干渉信号の送信に対してデータの送信を調整するように設定されているモジュール１１２０を備えることが可能である。さらに、装置１１００は、ステップ１０３０に関連して説明されているような、無線送信上での干渉信号の影響をモニタリングするように設定されているモジュール１１３０を備えることが可能である。さらに、装置１１００は、ステップ１１４０に関連して説明されているような、無線送信を最適化するように設定されているモジュール１０４０を備えることが可能である。
【００５３】
装置１１００は、無線デバイス、または無線デバイスを制御するための装置の既知の機能性など、他の機能性を実施するためのさらなるモジュールを含むことが可能であるということに留意されたい。さらに、装置１１００のモジュールは、装置１１００のハードウェア構造を必ずしも表しているとは限らず、たとえば、ハードウェア、ソフトウェア、またはそれらの組合せによって実施される機能要素に対応することも可能であるということに留意されたい。
【００５４】
図１２は、上述のコンセプトを実施するために使用されることが可能である装置１２００のプロセッサベースの実施態様を示している。たとえば、図１２に示されている構造は、上述の無線デバイス１０のうちの１つ、干渉デバイス２０、アクセスポイント１００、もしくはコントローラ２００、またはそれらの一部分などの無線デバイスにおいてコンセプトを実施するために使用されることが可能である。
【００５５】
示されているように、装置１２００は、１つまたは複数のインターフェース１２１０を含む。いくつかのシナリオにおいては、たとえば、装置が、上述の無線デバイス１０のうちの１つ、干渉デバイス２０、またはアクセスポイント１００に対応する場合には、インターフェース１２１０は、少なくとも１つの無線インターフェースを含むことが可能である。代替として、または追加として、インターフェース１２１０は、コントローラ２００とアクセスポイント１００との間に示されている上述のインターフェースなど、少なくとも１つの有線ベースのインターフェースを含むことが可能である。
【００５６】
さらに、装置１２００は、インターフェース１２１０に結合されている１つまたは複数のプロセッサ１２５０と、プロセッサ１２５０に結合されているメモリ１２６０とを含むことが可能である。例として、インターフェース１２１０、プロセッサ１２５０、およびメモリ１２６０は、装置１２００の１つまたは複数の内部バスシステムによって結合されることが可能である。メモリ１２６０は、読み取り専用メモリ（ＲＯＭ）、たとえば、フラッシュＲＯＭ、ランダムアクセスメモリ（ＲＡＭ）、たとえば、ダイナミックＲＡＭ（ＤＲＡＭ）またはスタティックＲＡＭ（ＳＲＡＭ）、マスストレージ、たとえば、ハードディスクまたはソリッドステートディスクなどを含むことが可能である。示されているように、メモリ１２６０は、ソフトウェア１２７０、ファームウェア１２８０、および／または制御パラメータ１２９０を含むことが可能である。メモリ１２６０は、図１０に関連して説明されているような、無線デバイス、または無線デバイスを制御するための装置の上述の機能性を実施するためにプロセッサ１２５０によって実行される適切に設定されたプログラムコードを含むことが可能である。
【００５７】
図１２に示されている構造は概略的なものにすぎないということ、および装置１２００は、分かりやすくするために示されていないさらなるコンポーネント、たとえば、さらなるインターフェースまたはプロセッサを実際には含むことが可能であるということを理解されたい。また、メモリ１２６０は、無線デバイス、または無線デバイスを制御するための装置の既知の機能性、たとえば、データの送信をスケジュールするための、および／または再送信を制御するための従来の機能性を実施するためのさらなるプログラムコードを含むことが可能であるということを理解されたい。いくつかの実施形態によれば、装置１２００の機能性を実施するためのコンピュータプログラムも、たとえば、プログラムコードおよび／もしくはメモリ１２６０に格納されることになるその他のデータを格納している物理的なメディアの形態で、またはプログラムコードをダウンロードに利用可能にすることによって、またはストリーミングによって提供されることが可能である。
【００５８】
理解されるように、上述されているコンセプトは、無線通信システムの進行中のオペレーション中に干渉の影響を効率よく査定するために使用されることが可能である。干渉信号の制御された送信を使用して、事前対処的な制御された様式で干渉が導入されることが可能であり、これは、データの進行中の送信上での悪影響を回避することまたは少なくとも低減することを可能にする。事前対処的に導入された干渉に基づいて、干渉の影響が正確な様式で査定されることが可能であり、これは、無線送信を正確に最適化することを可能にする。これは、信頼性および／またはレイテンシに関して所望の目標を効率よく達成する上で役立つ。
【００５９】
上で説明されている例および実施形態は、例示的なものにすぎず、さまざまな修正を受け入れる余地があるということを理解されたい。たとえば、示されているコンセプトは、上述のＬＴＥテクノロジー、５Ｇテクノロジー、またはＷＬＡＮテクノロジーに限定されず、さまざまな種類の無線テクノロジーに関連して適用されることが可能である。その上、上述のコンセプトは、既存のデバイスもしくは装置の１つもしくは複数のプロセッサによって実行される、対応して設計されているソフトウェアを使用することによって、または専用のデバイスハードウェアを使用することによって実施されることが可能であるということを理解されたい。さらに、示されている装置またはデバイスはそれぞれ、単一のデバイスとして、または複数の相互作用するデバイスからなるシステムもしくはクラウドプラットフォームとして実装されることが可能であるということに留意されたい。
【図１】
2021508187.tif 000003
【図２】
2021508187.tif 000004
【図３】
2021508187.tif 000005
【図４】
2021508187.tif 000006
【図５】
2021508187.tif 000007
【図６】
2021508187.tif 000008
【図７】
2021508187.tif 000009
【図８】
2021508187.tif 000010
【図９】
2021508187.tif 000011
【図１０】
2021508187.tif 000012
【図１１】
2021508187.tif 000013
【図１２】
2021508187.tif 000014
【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
無線送信を管理する方法であって、
第１の無線デバイスから第２の無線デバイスへの無線送信によるデータの送信中に、前記第１の無線デバイスから前記第２の無線デバイスへの前記無線送信によって使用されている無線リソース上で干渉信号を送信するように第３の無線デバイスを制御することと、
前記データの送信の前に、前記第３の無線デバイスが前記干渉信号を送信するべき前記無線リソース上で無線送信をスケジュールする際に、前記無線送信によって伝達されるべきデータの再送信をさらにスケジュールすることによって、前記干渉信号の送信に対して前記データの送信を調整することと、
前記無線送信上での前記干渉信号の影響をモニタリングすることとを含む方法。
【請求項２】
前記無線送信上での前記干渉信号の前記影響の前記モニタリングが、前記第３の無線デバイスが前記干渉信号を送信する前記無線リソース上での前記無線送信のうちの少なくとも１つの受信品質のモニタリングを含む、
請求項１に記載の方法。
【請求項３】
前記第３の無線デバイスが前記干渉信号を送信しない他の無線リソース上で前記再送信をスケジュールすること
を含む、請求項１または２に記載の方法。
【請求項４】
前記無線送信上での前記干渉信号の前記影響の前記モニタリングが、前記再送信の受信品質のモニタリングをさらに含む、
請求項１から３のいずれか一項に記載の方法。
【請求項５】
前記干渉信号の送信に対して前記データの送信を前記調整することが、
前記第３の無線デバイスが前記干渉信号を送信する前記無線リソース上で実行される前記無線送信のうちの少なくとも１つを、前記第１の無線デバイスから前記第２の無線デバイスへ前記データを伝達するために使用されないダミー送信として設定することを含む、
請求項１から４のいずれか一項に記載の方法。
【請求項６】
前記干渉信号の送信に対して前記データの送信を前記調整することが、
前記ダミー送信の特徴についての情報を前記第２の無線デバイスに提供することを含む、
請求項５に記載の方法。
【請求項７】
前記無線送信上での前記干渉信号の前記影響の前記モニタリングが、前記ダミー送信の受信品質のモニタリングを含む、
請求項５または６に記載の方法。
【請求項８】
前記干渉信号の送信に対して前記データの送信を前記調整することが、前記第１の無線デバイス、前記第２の無線デバイス、および前記第３の無線デバイスのうちの少なくとも１つに提供される管理情報に基づく、
請求項１から７のいずれか一項に記載の方法。
【請求項９】
前記無線送信上での前記干渉信号の前記影響の前記モニタリングが、前記第２の無線デバイスによって提供される少なくとも１つのレポートに基づく、
請求項１から８のいずれか一項に記載の方法。
【請求項１０】
前記無線送信上での前記干渉信号の前記影響の前記モニタリングに基づいて、前記第１の無線デバイスから前記第２の無線デバイスへの前記無線送信を最適化すること
を含む、請求項１から９のいずれか一項に記載の方法。
【請求項１１】
前記第３の無線デバイスの前記制御が、前記干渉信号の送信電力、前記干渉信号の送信周波数、前記干渉信号の送信タイミング、および／または前記干渉信号の送信バンド幅を設定することを含む、
請求項１から１０のいずれか一項に記載の方法。
【請求項１２】
前記第３の無線デバイスの前記制御が、前記第３の無線デバイスの位置を制御すること、および／または前記干渉信号の送信方向を制御することを含む、
請求項１から１１のいずれか一項に記載の方法。
【請求項１３】
無線送信を管理するための装置であって、
第１の無線デバイスから第２の無線デバイスへの無線送信によるデータの送信中に、前記第１の無線デバイスから前記第２の無線デバイスへの前記無線送信によって使用されている無線リソース上で干渉信号を送信するように第３の無線デバイスを制御することと、
前記データの送信の前に、前記第３の無線デバイスが前記干渉信号を送信するべき前記無線リソース上で無線送信をスケジュールする際に、前記無線送信によって伝達されるべきデータの再送信をさらにスケジュールすることによって、前記干渉信号の送信に対して前記データの送信を調整することと、
前記無線送信上での前記干渉信号の影響をモニタリングすることとを行うように設定されている装置。
【請求項１４】
前記第１の無線デバイス、前記第２の無線デバイス、前記第３の無線デバイス、または前記第１の無線デバイス、前記第２の無線デバイス、および前記第３の無線デバイスとは別個の制御デバイスによって実装される、
請求項１３に記載の装置。
【請求項１５】
請求項１から１２のいずれか一項に記載の方法を実行するように設定される、
請求項１３に記載の装置。
【請求項１６】
第１の無線デバイス、第２の無線デバイス、および第３の無線デバイス
を含むシステムであって、
前記第１の無線デバイスおよび前記第２の無線デバイスが、前記第１の無線デバイスから前記第２の無線デバイスへ無線送信によってデータを送信するように設定されており、
前記第３の無線デバイスが、前記第１の無線デバイスから前記第２の無線デバイスへの前記無線送信によって使用されている無線リソース上で干渉信号を送信するように設定されており、
前記第１の無線デバイス、前記第２の無線デバイス、および前記第３の無線デバイスのうちの少なくとも１つが、前記干渉信号の送信に対して前記データの送信を調整するように設定されており、
前記第１の無線デバイス、前記第２の無線デバイス、および前記第３の無線デバイスのうちの少なくとも１つが、前記データの送信の前に、前記第３の無線デバイスが前記干渉信号を送信するべき前記無線リソース上で無線送信をスケジュールする際に、前記無線送信によって伝達されるべきデータの再送信をさらにスケジュールすることによって、前記無線送信上での前記干渉信号の影響をモニタリングするように設定されている、システム。
【請求項１７】
無線送信の管理のための装置の少なくとも１つのプロセッサによって実行されるプログラムコードを含むコンピュータプログラムであって、前記プログラムコードの実行が、請求項１から１２のいずれか一項に記載の方法を前記装置に実行させる、コンピュータプログラム。
【国際調査報告】
2021508187.tif 000015
2021508187.tif 000016
2021508187.tif 000017